(57)【要約】【課題】横型チャンバーの前面開口を開閉する蓋が、閉じた状態を二重の安全手段によって保持できるようにし、被滅菌物を高圧蒸気下で滅菌する高圧蒸気滅菌器の安全確保技術の提供と、蓋が閉じた状態をロックするロック手段とその検出スイッチを設け、この検出スイッチが検知していない場合は、滅菌動作が開始可能とならず、高圧蒸気滅菌器の運転開始の安全性確保に優れた技術を提供する。【解決手段】チャンバーの前面開口周辺部に円周状に配置され電動機によって一方向へ回動してロックバーが固定側ロック部と蓋側ロック部に進入して蓋をロック状態に保持するロック板、ロック板がロック状態に回動したことをロック位置検出スイッチが検出しロック板を回動阻止状態とするプランジャを進出させるロック板阻止用ソレノイド、プランジャの進出の検出によって滅菌動作が開始可能となること。【選択図】図４
2010068911.tif 000002
【特許請求の範囲】
【請求項１】
滅菌器本体内に前面開口の横型チャンバーが設けられ、前記チャンバーの前面開口を閉
じるようにヒンジ部で回動可能に支持された蓋と、前記蓋が正規の閉じた状態になったこ
とを検出する閉蓋検出スイッチを備え、前記チャンバー内に収納された被滅菌物を高圧蒸
気下で滅菌する高圧蒸気滅菌器であって、前記チャンバーの前面開口周辺部に円周上に間
隔を存して配置された固定側ロック部と、この固定側ロック部に対応して前記蓋の裏方向
へ突出した蓋側ロック部と、前記チャンバーの前面開口周辺部に円周状に配置され電動機
によって円周上で時計回り或いは反時計回りに回動するロック板と、前記固定側ロック部
と前記蓋側ロック部はそれぞれ前記蓋が閉じた状態で相互に対向するロック孔を備え、前
記ロック板は前記固定側ロック部の前記ロック孔に対向したロックバーを備え、前記蓋が
開いた状態では前記ロックバーが前記固定側ロック部の前記ロック孔から脱した状態であ
り、前記蓋が閉じた状態を前記閉蓋検出スイッチが検出したことにより前記電動機が駆動
され前記ロック板が一方向へ回動して前記ロックバーが前記固定側ロック部のロック孔と
前記蓋側ロック部のロック孔に進入して前記蓋をロック状態に保持し、前記ロック板が前
記ロック状態に回動したことを検出するロック位置検出スイッチを備え、前記ロック位置
検出スイッチの検出によって通電され前記ロック板をロック位置に保持するようプランジ
ャを進出させるロック板保持用ソレノイドと、前記プランジャの進出を検出するプランジ
ャ検出スイッチを備え、このプランジャ検出スイッチの検出によって滅菌動作が開始可能
となり、前記滅菌動作の終了によって前記ソレノイドが非通電となり、前記電動機が駆動
され前記ロック板が逆方向へ回動して前記ロックバーが前記固定側ロック部のロック孔及
び前記蓋側ロック部のロック孔から脱して前記蓋のロック状態が解除されることを特徴と
する高圧蒸気滅菌器。
【発明の詳細な説明】
【技術分野】
【０００１】
本発明は、主として病院等に設置して医療用器具等の被滅菌物を高圧蒸気下で滅菌する
高圧蒸気滅菌器に関する。
【背景技術】
【０００２】
滅菌器本体内に設けた上面開口のチャンバーと、前記滅菌器本体の上部に開閉自在に支
持された蓋ハウジングに前記チャンバーの上面開口を密閉する蓋を備え、前記チャンバー
内に収納された被滅菌物を高圧蒸気下で滅菌する高圧蒸気滅菌器において、前記滅菌器本
体の前面底部に足踏み式ペダルを設け、このペダルの操作によって蓋を開くようにしたも
のがある。（特許文献１参照）。
【特許文献１】特開２００５−６９２７号公報
【発明の開示】
【発明が解決しようとする課題】
【０００３】
この特許文献１の構成では、ペダルを足で踏むことによって蓋を開くことができるため
、手が塞がれている状態での操作性が向上するが、滅菌工程を開始した高圧蒸気滅菌器の
作動中は、蓋が確実に閉じた状態を維持して安全を確保し、滅菌工程が完了した安全状態
で蓋を開成できるような安全装置についての技術が開示されていない。
【０００４】
本発明は、特許文献１のような縦型チャンバーではなく、前面開口の横型チャンバーを
採用した高圧蒸気滅菌器を提供するものであり、この横型チャンバーにおいて、チャンバ
ーの前面開口を開閉する蓋が、閉じた状態を二重の安全手段によって保持できるようにす
ることにより、被滅菌物を高圧蒸気下で滅菌する高圧蒸気滅菌器の安全確保に適する技術
を提供するものである。
【０００５】
また、蓋が閉じた状態をロックするロック手段と、このロック状態検出スイッチを設け
、この検出スイッチが検知していない場合は、滅菌動作が開始可能にならないようにして
、高圧蒸気滅菌器の運転開始の安全性確保に優れた技術を提供するものである。
【課題を解決するための手段】
【０００６】
本発明の高圧蒸気滅菌器は、滅菌器本体内に前面開口の横型チャンバーが設けられ、前
記チャンバーの前面開口を閉じるようにヒンジ部で回動可能に支持された蓋と、前記蓋が
正規の閉じた状態になったことを検出する閉蓋検出スイッチを備え、前記チャンバー内に
収納された被滅菌物を高圧蒸気下で滅菌する高圧蒸気滅菌器であって、前記チャンバーの
前面開口周辺部に円周上に間隔を存して配置された固定側ロック部と、この固定側ロック
部に対応して前記蓋の裏方向へ突出した蓋側ロック部と、前記チャンバーの前面開口周辺
部に円周状に配置され電動機によって円周上で時計回り或いは反時計回りに回動するロッ
ク板と、前記固定側ロック部と前記蓋側ロック部はそれぞれ前記蓋が閉じた状態で相互に
対向するロック孔を備え、前記ロック板は前記固定側ロック部の前記ロック孔に対向した
ロックバーを備え、前記蓋が開いた状態では前記ロックバーが前記固定側ロック部の前記
ロック孔から脱した状態であり、前記蓋が閉じた状態を前記閉蓋検出スイッチが検出した
ことにより前記電動機が駆動され前記ロック板が一方向へ回動して前記ロックバーが前記
固定側ロック部のロック孔と前記蓋側ロック部のロック孔に進入して前記蓋をロック状態
に保持し、前記ロック板が前記ロック状態に回動したことを検出するロック位置検出スイ
ッチを備え、前記ロック位置検出スイッチの検出によって通電され前記ロック板をロック
位置に保持するようプランジャを進出させるロック板保持用ソレノイドと、前記プランジ
ャの進出を検出するプランジャ検出スイッチを備え、このプランジャ検出スイッチの検出
によって滅菌動作が開始可能となり、前記滅菌動作の終了によって前記ソレノイドが非通
電となり、前記電動機が駆動され前記ロック板が逆方向へ回動して前記ロックバーが前記
固定側ロック部のロック孔及び前記蓋側ロック部のロック孔から脱して前記蓋のロック状
態が解除されることを特徴とする。
【発明の効果】
【０００７】
本発明では、前面開口の横型チャンバーを採用した高圧蒸気滅菌器において、蓋が閉じ
た状態を閉蓋検出スイッチが検出したことにより、電動機が駆動してロック板が時計回り
或いは反時計回りのいずれか一方向へ回動してロックバーをロック孔に係入することで蓋
をロック状態にする。そして、このロック状態はロック位置検出スイッチによって検出さ
れ、それによってロック板阻止用ソレノイドが通電され、プランジャがロック板の係止孔
に係入することによってロック板を回動阻止状態に保持する。このため、蓋は、ロック板
により閉じた状態を保持され、且つ、ロック板はプランジャによって回動したロック位置
に保持されるため、蓋が閉じた状態を二重の安全手段によって保持できるものとなり、被
滅菌物を高圧蒸気下で滅菌する高圧蒸気滅菌器の安全確保に適したものとなる。
【０００８】
また、ロック板がプランジャによって回動位置に保持されたことは、プランジャ検出ス
イッチで検出されるため、このプランジャ検出スイッチが検知していない場合は、滅菌動
作が開始可能とならない。このため、蓋がチャンバーの前面開口を閉じ、その状態が保持
されていない限り滅菌動作の開始はないため、高圧蒸気滅菌器の運転開始の安全性確保に
優れたものとなる。
【発明を実施するための最良の形態】
【０００９】
本発明の高圧蒸気滅菌器は、滅菌器本体内に前面開口の横型チャンバーが設けられ、前
記チャンバーの前面開口を閉じるようにヒンジ部で回動可能に支持された蓋と、前記蓋が
正規の閉じた状態になったことを検出する閉蓋検出スイッチ１５を備え、前記チャンバー
内に収納された被滅菌物を高圧蒸気下で滅菌する高圧蒸気滅菌器であって、前記チャンバ
ーの前面開口周辺部に円周上に間隔を存して配置された固定側ロック部と、この固定側ロ
ック部に対応して前記蓋の裏方向へ突出した蓋側ロック部と、前記チャンバーの前面開口
周辺部に円周状に配置され電動機によって円周上で時計回り或いは反時計回りに回動する
ロック板と、前記固定側ロック部と前記蓋側ロック部はそれぞれ前記蓋が閉じた状態で相
互に対向するロック孔を備え、前記ロック板は前記固定側ロック部の前記ロック孔に対向
したロックバーを備え、前記蓋が開いた状態では前記ロックバーが前記固定側ロック部の
前記ロック孔から脱した状態であり、前記蓋が閉じた状態を前記閉蓋検出スイッチ１５が
検出したことにより前記電動機が駆動され前記ロック板が一方向へ回動して前記ロックバ
ーが前記固定側ロック部のロック孔と前記蓋側ロック部のロック孔に進入して前記蓋をロ
ック状態に保持し、前記ロック板が前記ロック状態に回動したことを検出するロック位置
検出スイッチ２１を備え、前記ロック位置検出スイッチ２１の検出によって通電され前記
ロック板をロック位置に保持するようプランジャを進出させるロック板保持用ソレノイド
と、前記プランジャの進出を検出するプランジャ検出スイッチ２４を備え、このプランジ
ャ検出スイッチ２４の検出によって滅菌動作が開始可能となり、前記滅菌動作の終了によ
って前記ソレノイドが非通電となり、前記電動機が駆動され前記ロック板が逆方向へ回動
して前記ロックバーが前記固定側ロック部のロック孔及び前記蓋側ロック部のロック孔か
ら脱して前記蓋のロック状態が解除されるものであり、本発明の実施例を以下に記載する
。
【実施例１】
【００１０】
本発明の実施形態について説明する。図１は本発明に係る高圧蒸気滅菌器の蓋が閉じて
ロックされた状態の正面斜視図、図２は本発明に係る高圧蒸気滅菌器の蓋が開いた状態の
正面斜視図、図３は本発明に係る高圧蒸気滅菌器の蓋が若干開いた状態の一部拡大斜視図
（取っ手の係止部を省略）、図４は本発明に係る高圧蒸気滅菌器の蓋を閉じた時点の一部
正面斜視図（取っ手部の構成を一部省略）、図５は図４におけるロック板の状態を示す後
面斜視図、図６は本発明に係る高圧蒸気滅菌器の蓋をロック板がロックした状態を示す一
部正面斜視図、図７は本発明に係る高圧蒸気滅菌器の蓋をロック板がロックしロック板保
持用ソレノイドが作動した状態を示す一部正面斜視図、図８は図７におけるロック板とロ
ック板保持用ソレノイドの状態を示す後面斜視図である。
【００１１】
１は本発明の高圧蒸気滅菌器である。高圧蒸気滅菌器１は、外装ケースで覆われた構成
であるが、図１及び図２に示すものは、この外装ケースで覆われた内部構成を示している
。滅菌動作を行なうためには、被滅菌物の種類に応じた滅菌コースの選択、滅菌温度や滅
菌時間の設定、その他の設定等を行なうが、このような選択・設定及びこれらに係る表示
のための操作パネル部が、前記外装ケースの外面部に設けられている。高圧蒸気滅菌器１
は、立法形または縦長直方形の基礎台２の上には、前面開口３Ａの円筒状の横型チャンバ
ー３が設けられ、チャンバー３の円形状の前面開口３Ａを密閉する蓋４を備えている。蓋
４は、チャンバー３の一側部（図では右側）においてヒンジ部５にて回動可能に支持され
ている。
【００１２】
チャンバー３内に被滅菌物を収納し、蓋４がチャンバー３の前面開口３Ａを密閉した状
態において、高圧蒸気滅菌器１を運転して、チャンバー３内を高温高圧状態とし、被滅菌
物の滅菌が行なわれる。蓋４によってチャンバー３の前面開口３Ａを良好な密閉状態とす
るために、蓋４の裏側周縁に環状パッキン６を備え、この環状パッキン６がチャンバー３
の前面開口３Ａの環状フランジ３Ａ１に密着する構成である。
【００１３】
基礎台２内には、チャンバー３内を真空引きする真空ポンプ７と、チャンバー３内での
滅菌のために使用する所定量の加熱用水を溜めたポリプロピレン製で内容量が約２０リッ
トル程度の注排水タンク８と、真空ポンプ７の水封及び冷却用の水を溜める内容量が約２
０リットル程度の冷却タンク９等を備えている。１０は注排水タンク８及び冷却タンク９
の出し入れ用のスロープ板である。高圧蒸気滅菌器１の移動のために、基礎台２の底部４
隅部にキャスタ１１が設けられている。
【００１４】
チャンバー３内にセットした被滅菌物の滅菌処理を行なう場合は、蓋４が確実に閉じた
状態にしなければ危険である。本発明では、蓋４が閉じた状態を二重の安全手段によって
保持できるロック装置を提供するものであり、この蓋４のロック装置を以下に具体的に記
載する。
【００１５】
本発明の蓋４のロック装置は、蓋４が正規の閉じた状態になったことを検出する閉蓋検
出スイッチ１５と、チャンバー３の前面開口３Ａ周辺部に円周上に間隔を存して配置され
た固定側ロック部１６と、この固定側ロック部１６に対応して蓋４の裏方向へ突出した蓋
側ロック部１７と、チャンバー３の前面開口３Ａ周辺部に円周状に配置され電動機１９に
よって円周方向に時計回り或いは反時計回りに回動するロック板１８と、固定側ロック部
１６と蓋側ロック部１７はそれぞれ蓋４が閉じた状態で相互に対向するロック孔１６Ａ、
１７Ａを備え、ロック板１８は固定側ロック部１６のロック孔１６Ａに対向したロックバ
ー２０を備え、蓋４が開いた状態ではロックバー２０が固定側ロック部１６のロック孔１
６Ａから脱した状態である。
【００１６】
そして、蓋４が閉じた状態を閉蓋検出スイッチ１５が検出したことにより電動機１９が
駆動され、アーム３３が図２および図４に示す状態から左方へ回動し、それによってロッ
ク板１８が一方向（図では反時計方向）へ回動してロックバー２０が固定側ロック部１６
のロック孔１６Ａと蓋側ロック部１７のロック孔１７Ａに進入して蓋４をロック状態に保
持する。また、ロック板１８がロック位置に回動したことを検出するロック位置検出スイ
ッチ２１を備え、ロック位置検出スイッチ２１の検出によってロック板１８を回動位置に
保持するプランジャ２２を進出させるロック板保持用ソレノイド２３に通電される。プラ
ンジャ２２の進出はプランジャ検出スイッチ２４で検出され、このプランジャ検出スイッ
チ２４の検出によって滅菌動作が開始可能となる。そして、滅菌動作の終了によってソレ
ノイド２３が非通電となり、電動機１９が駆動されロック板１８が逆方向（図では時計方
向）へ回動してロックバー２０が固定側ロック部１６のロック孔１６Ａ及び蓋側ロック部
１７のロック孔１７Ａから脱して蓋４のロック状態が解除されるものである。
【００１７】
この構成を更に詳述する。チャンバー３の前面開口３Ａの環状フランジ３Ａ１の裏側に
は、対向二辺１６１をもつ門型の固定側ロック部１６が、略９０度の等角度配置でもって
対角線上の４箇所に取り付けられており、対向二辺１６１にはそれぞれロック孔１６Ａが
形成されている。この各固定側ロック部１６に対応して蓋４には、裏方向へ突出した蓋側
ロック部１７が蓋４と一体に対角線上の４箇所に形成され、各蓋側ロック部１７にはロッ
ク孔１７Ａが形成されている。固定側ロック部１６には蓋４が閉じた状態を検出する閉蓋
検出スイッチ１５を取り付けており、蓋４が閉じたとき蓋側ロック部１７の先端が閉蓋検
出スイッチ１５の作動体１５Ａを押して、閉蓋検出スイッチ１５がＯＮする構成である。
【００１８】
ロック板１８は、環状フランジ３Ａ１に略並行な姿勢でもって円周方向に時計回り或い
は反時計回りに回動するように、固定側ロック部１６の対向二辺１６１の後端部に形成し
たガイド部２５Ａにて位置決めされた状態で、固定側ロック部１６に一体の支持部２５Ｂ
と対向二辺１６１の後端縁とで支持された状態である。ロック板１８の前面には、４箇所
の固定側ロック部１６のロック孔１６Ａに対向する位置にロックバー２０を取り付け板２
６にて取り付けている。４箇所の固定側ロック部１６の１つまたはチャンバー３には、ロ
ック板１８の後方位置に、取り付け板２７にてロック位置検出スイッチ２１を取り付けて
いる。
【００１９】
ロック板１８を回動した所定位置に保持するロック板保持用ソレノイド２３が、チャン
バー３または固定側ロック部１６に取り付けられている。図示の場合は、支持部２５Ｂに
取り付けた状態である。ソレノイド２３が非通電のときはプランジャ２２はバネ２９にて
退避状態であり、ソレノイド２３が通電のときはプランジャ２２はバネ２９に抗して進出
する。取り付け板２６にはプランジャ２２の進出を検出するプランジャ検出スイッチ２４
を取り付けている。このプランジャ検出スイッチ２４の作動体２４Ａに対向してロック板
１８には、進出したプランジャ２２が貫通する係止孔２８を形成している。
【００２０】
蓋４の開閉は取っ手部３０によって行なう。取っ手部３０は、蓋４の前面に溶接等にて
固定した支持体３０Ｂに設けた軸３１Ｐに、この軸３１Ｐを中心として回動する作動アー
ム３１Ａが保持され、軸３１Ｐに巻回にて保持されたコイルバネＳＰによって、この作動
アーム３１の先端が下方へ付勢された状態である。作動アーム３１Ａは手動操作される取
っ手３０Ａを備えている。一方、チャンバー３側には作動アーム３１Ａが係脱する係止部
が設けられている。この係止部は、チャンバー３の外面に溶接等にて固定した（その固定
部は図では省略）支持体３１Ｈから水平方向へ突出する係止軸３１Ｂを備えている。
【００２１】
図８に示すように、蓋４がチャンバー３の前面開口３Ａを閉じているときは、コイルバ
ネＳＰによってこの作動アーム３１Ａの先端が下方へ付勢され、作動アーム３１Ａの先端
に形成した係止凹部３１Ａ１が係止軸３１Ｂに係止した状態である。この状態から蓋４を
開くときは、手動にて取っ手３０ＡをコイルバネＳＰに抗して矢印Ｑ方向へ引っ張ること
によって、作動アーム３１Ａは軸３１Ｐを中心として矢印Ｒ方向へ回動し、作動アーム３
１Ａの先端が上方へ移動して係止凹部３１Ａ１が係止軸３１Ｂとの係止から離脱する。こ
の状態で、取っ手３０Ａを更に引くことによって、蓋４が大きく開く。
【００２２】
蓋４を閉じるときは、蓋４をチャンバー３方向へ押し、作動アーム３１Ａの先端の傾斜
ガイド部３１Ａ２に係止軸３１Ｂが当接した状態で、更に蓋４をチャンバー３方向へ押す
ことによって、作動アーム３１ＡはコイルバネＳＰに抗して矢印Ｒ方向へ回動しつつ、遂
にコイルバネＳＰにて係止凹部３１Ａ１が係止軸３１Ｂに係止する状態となる。これによ
って、蓋４がチャンバー３の前面開口３Ａを閉じた状態に保持される。
【００２３】
蓋４は外装体によって装飾されるが、、図示のものはその外装体を外した内部構成を示
している。このため、取っ手部３０はこの外装体で覆われるが、取っ手３０Ａはこの外装
体から露出した状態に保たれ、蓋４を開き易く配置している。蓋４が閉じたことを検出す
るために、上記のように、作動アーム３１Ａが係止軸３１Ｂに係止したとき、作動アーム
３１Ａによって作動する取っ手検出スイッチ３２を支持体３１Ｈに備えている。
【００２４】
このような構成において、高圧蒸気滅菌器１の滅菌動作運転開始前の状態では、ソレノ
イド２３が非通電であり、ロック板１８は、図２及び図４に示すように初期位置にある。
滅菌操作に際しては、先ず、電源スイッチ（図示せず）をオン（ＯＮ）操作することによ
り、スタンバイ状態となる。この状態で、蓋４を開いて前面開口３Ａよりチャンバー３内
に被滅菌物をセットし、蓋４を閉じる。蓋４を閉じることにより、各蓋側ロック部１７が
各固定側ロック部１６の対向二辺１６１間に進入し、作動アーム３１Ａが係止軸３１Ｂに
係止して、蓋４を閉じた状態を保持する。これと共に蓋側ロック部１７の先端が閉蓋検出
スイッチ１５の作動体１５Ａを押して、閉蓋検出スイッチ１５がＯＮすることにより、蓋
４が閉じたことが検出される。また、蓋４を閉じたとき、作動アーム３１Ａが係止軸３１
Ｂに係止するため、取っ手検出スイッチ３２もＯＮする。
【００２５】
このように、蓋４が閉じたことは閉蓋検出スイッチ１５のＯＮにて検出する。なお、安
全確保のために、閉蓋検出スイッチ１５と取っ手検出スイッチ３２の両方がＯＮすること
により、蓋４が閉じたことを検出するように二重の検出構成を採用することもできる。閉
蓋検出スイッチ１５のＯＮにて電動機１９が駆動されロック板１８が一方向（図では反時
計方向）へ回動してロックバー２０が固定側ロック部１６のロック孔１６Ａと蓋側ロック
部１７のロック孔１７Ａに進入して蓋４をロック状態に保持する。
【００２６】
ロック板１８がロック位置に回動したことはロック位置検出スイッチ２１で検出され、
この検出によってロック板保持用ソレノイド２３に通電されて励磁され、プランジャ２２
が進出する。ロック板１８の回動によって係止孔２８がプランジャ２２に対応しているた
め、進出するプランジャ２２が係止孔２８を貫通し、ロック板１８を回動位置に保持する
。このプランジャ２２の進出によってプランジャ検出スイッチ２４をＯＮし、ロック板１
８がロック位置に回動したことが検出される。この状態は、安全に滅菌動作を開始できる
ことを示しており、制御手段（図示せず）が動作して、蓋４がロックされたことを高圧蒸
気滅菌器１の外面部に設けた前記操作パネル部の表示部のＬＥＤが点灯するか、音声にて
この状態をアナウンスする。これらの制御は、前記制御手段（図示せず）の動作にて行な
われる。
【００２７】
このプランジャ検出スイッチ２４の検出によって、高圧蒸気滅菌器１の滅菌動作運転を
開始できる状態において、前記操作パネル部を操作して必要な選択・設定を行なった後、
前記操作パネル部のスタートスイッチを操作することにより、前記制御手段（図示せず）
が動作して、選択・設定した条件に従って滅菌動作が開始し、真空ポンプ７の動作を伴い
、チャンバー３内にセットした被滅菌物の加熱工程、滅菌工程、排気工程、乾燥工程等の
所定の工程を経て、滅菌動作が終了する。この滅菌動作の終了は、前記操作パネル部の表
示やブザー、または音声アナウンス等によって報知される。
【００２８】
この滅菌動作の終了により、前記制御手段（図示せず）の動作にて、ロック板保持用ソ
レノイド２３が非通電となってプランジャ２２が退避し、ロック板１８の保持状態が解除
される。これによって、プランジャ検出スイッチ２４がＯＦＦし、それによって、前記制
御手段（図示せず）の動作にて、電動機１９が駆動されてロック板１８が逆方向（図では
時計方向）へ回動し、ロックバー２０が固定側ロック部１６のロック孔１６Ａと蓋側ロッ
ク部１７のロック孔１７Ａから退避して、蓋４のロック状態を解除する。この状態で閉蓋
検出スイッチ２１が閉蓋検出状態を解除されるため、前記制御手段（図示せず）の動作に
て、前記操作パネル部に蓋４を開くことが可能な表示がなされ、または音声アナウンス等
によって報知される。このため、蓋４の取っ手３０Ａを引くことにより、上記のように作
動アーム３１Ａが係止軸３１Ｂから外れて蓋４が開かれ、チャンバー３内の被滅菌物を取
り出すことができる。
【産業上の利用可能性】
【００２９】
本発明は上記実施例に示した構成に限定されず、横型チャンバーの種々の形態の高圧蒸
気滅菌器に適用できるものであり、本発明の技術範囲において種々の形態を包含するもの
である。
【図面の簡単な説明】
【００３０】
【図１】本発明に係る高圧蒸気滅菌器の蓋が閉じてロックされた状態の正面斜視図である。
【図２】本発明に係る高圧蒸気滅菌器の蓋が開いた状態の正面斜視図である。
【図３】本発明に係る高圧蒸気滅菌器の蓋が若干開いた状態の一部拡大斜視図（取っ手の係止部を省略）である。
【図４】本発明に係る高圧蒸気滅菌器の蓋を閉じた時点の一部正面斜視図（取っ手部の構成を一部省略）である。
【図５】図４におけるロック板の状態を示す後面斜視図である。
【図６】本発明に係る高圧蒸気滅菌器の蓋をロック板がロックした状態を示す一部正面斜視図である。
【図７】本発明に係る高圧蒸気滅菌器の蓋をロック板がロックしロック板阻止用ソレノイドが作動した状態を示す一部正面斜視図である。
【図８】図７におけるロック板とロック板阻止用ソレノイドの状態を示す後面斜視図である。
【符号の説明】
【００３１】
１・・・・・高圧蒸気滅菌器
２・・・・・基礎台
３・・・・・横型チャンバー
３Ａ・・・・前面開口
３Ａ１・・・環状フランジ
４・・・・・蓋
５・・・・・ヒンジ部
７・・・・・真空ポンプ
１５・・・・閉蓋検出スイッチ
１５Ａ・・・閉蓋検出スイッチの作動体
１６・・・・固定側ロック部
１６Ａ・・・ロック孔
１７・・・・蓋側ロック部
１７Ａ・・・ロック孔
１８・・・・ロック板
１９・・・・電動機
２０・・・・ロックバー
２１・・・・ロック位置検出スイッチ
２２・・・・プランジャ
２３・・・・ロック板保持用ソレノイド
２４・・・・プランジャ検出スイッチ
２８・・・・係止孔
３０・・・・取っ手部
３０Ａ・・・取っ手
３２・・・・取っ手検出スイッチ
【図１】
2010068911.tif 000003
【図２】
2010068911.tif 000004
【図３】
2010068911.tif 000005
【図４】
2010068911.tif 000006
【図５】
2010068911.tif 000007
【図６】
2010068911.tif 000008
【図７】
2010068911.tif 000009
【図８】
2010068911.tif 000010